(57)【要約】【課題】フリッカーバー組立体に衝突するクリーニング繊維のために、フリッカー組立体上に蓄積されたクラストが不都合に除去されるのを防止する。【解決手段】繊維通路に沿って移動する繊維と接触し、これをフリックするように、機械内に取り付けるための柔らかい接触部のフリッカーバー組立体であり、機械のフレーム部分に取り付けるための基部と、基部に結合された、第１の遠位端及び反対側の第２の遠位端を含む本体部と、繊維通路に沿って移動する繊維と接触し、これに当たるように、第１の遠位端に結合された先端部を備える。先端部は、該先端部と移動する繊維との間の衝撃力の厄介な影響を低減させるように、８５未満のショアＡデュロメータ硬度を有する材料で作製され、フリッカーバー組立体のいずれかの部品から、蓄積された粒子のクラストを不都合に除去するのを防止することを特徴とする柔らかい接触部分をもつ。【選択図】図２
2008116946.tif 000002
【特許請求の範囲】
【請求項１】
繊維通路に沿って移動する繊維と接触し、これをフリックするように、機械内に取り付けるための柔らかい接触部のフリッカーバー組立体であって、
（ａ）前記機械のフレーム部分に取り付けるための基部と、
（ｂ）前記基部に結合された、第１の遠位端及び反対側の第２の遠位端を含む本体部と、
（ｃ）前記繊維通路に沿って移動する繊維と接触し、これに当たるように、前記第１の遠位端に結合された先端部と、
を備え、前記先端部は、該先端部と前記移動する繊維との間の衝撃力の厄介な影響を低減させるように、８５未満のショアＡデュロメータ硬度を有する材料で作製され、前記フリッカーバー組立体のいずれかの部品から、蓄積された粒子のクラストを不都合に除去するのを防止することを特徴とする柔らかい接触部分をもつフリッカーバー組立体。
【請求項２】
画像形成面から残留トナー粒子を除去するための、トナー画像の複製に用いるためのクリーニング装置であって、
（ａ）前記画像形成面に対して位置決めするための第１の開口部と、空気及びトナー粒子をハウジングの外に排出するための第２の開口部とを含むハウジングと、
（ｂ）前記ハウジング内に取り付けられ、かつ、前記画像形成面と接触して残留トナー粒子をそこから除去するための、前記第１の開口部と前記第２の開口部との間に繊維移動通路をもつクリーニング繊維を有する回転可能な円筒形ブラシと、
（ｃ）前記クリーニング繊維と接触し、これをフリックするように、前記繊維移動通路にわたって前記ハウジング内に取り付けられた柔らかい接触部のフリッカーバー組立体と、
を備え、前記フリッカーバー組立体は、
（ｉ）前記ハウジングに取り付けるための基部と、
（ｉｉ）前記基部に結合された、第１の遠位端及び反対側の第２の遠位端を含む本体部と、
（ｉｉｉ）前記繊維移動通路に沿って移動する前記クリーニング繊維と接触し、これに当たるように、前記第１の遠心端に結合された先端部と、
を含み、前記先端部は、該先端部と前記移動する繊維との間の衝撃力を低減させるように、８５未満のショアＡデュロメータ硬度を有する材料で作製され、相対的に高い衝撃力が、前記クリーニング装置のいずれかの部品から、蓄積された粒子のクラストを不都合に除去するのを防止することを特徴とするクリーニング装置。
【請求項３】
トナー画像複製機であって、
（ａ）画像支持面及び移動通路を有する移動可能なトナー画像支持部材と、
（ｂ）前記画像支持面上にトナー画像を形成するための、前記移動通路に沿って取り付けられたトナー画像形成装置と、
（ｃ）前記トナー画像を前記画像支持面から基材の上に転写するための転写手段と、
（ｄ）前記画像支持面から残留トナー粒子をクリーニングし、除去するための、フリッカーバー組立体を含む繊維ブラシ・クリーニング装置と、
を備え、前記フリッカーバー組立体は、
（ｉ）前記ハウジングに取り付けるための基部と、
（ｉｉ）前記基部に結合された、第１の遠位端及び反対側の第２の遠位端を含む本体部と、
（ｉｉｉ）前記繊維の移動通路に沿って移動する前記クリーニング繊維と接触し、これに当たるように、前記第１の遠位端に結合された先端部と、
を含み、前記先端部は、該先端部と前記移動する繊維との間の衝撃力を低減させるために、８５未満のショアＡデュロメータ硬度を有する柔らかい材料で作製され、相対的に大きい衝撃力が、前記クリーニング装置のいずれかの部品から、蓄積された粒子のクラストを不都合に除去するのを防止することを特徴とするトナー画像複製機。
【発明の詳細な説明】
【技術分野】
【０００１】
本開示は、可動部材の繊維と接触し、これをフリックする（軽く打つ、或いは、はじく（flick））ためのフリッカーバーに向けられ、より特定的には、柔らかい接触部を有するこうしたフリッカーバー、及び該フリッカーバーを有するトナー画像複製機に向けられる。
【背景技術】
【０００２】
例えば、電子写真式印刷方法の機械のような典型的なトナー画像複製機においては、高感度の光導電部材が、実質的に一様な電位に帯電され、その表面に感光性を与える。光導電部材の帯電部分が、複製される元の文書の光画像に露光される。帯電した光導電部材の露光により、照射された領域において光導電部材の上の電荷が選択的に放散され、これにより、元の文書内に含まれる情報領域に対応する静電潜像が光導電部材の上に形成される。
【０００３】
静電潜像が光導電部材上に記録された後、潜像は、帯電した現像剤材料を該潜像と接触させることによって現像される。一般に、現像剤材料は、キャリア粒子に摩擦電気的に付着しているトナー粒子を含む。トナー粒子は、キャリア粒子から潜像に引き付けられ、光導電部材上にトナーパウダー像を形成する。次いで、トナーパウダー像は、光導電部材からコピーシートに転写される。その後、パウダー像をコピーシートに恒久的に定着させるために、トナー粒子が加熱される。
【０００４】
上記は、一般に、典型的な白黒の電子写真式印刷機を説明している。多色の電子写真の出現とともに、複数の画像形成ステーションを含むアーキテクチャを使用することが望ましい。複数の画像形成ステーション・アーキテクチャの一例は、イメージ・オン・イメージ（ＩＯＩ）システムを用いるものであり、そこでは、各々のカラー分解について、感光体部材が再帯電され、再び画像形成され、現像される。この帯電、画像形成、現像、及び再帯電、再画像形成、及び現像（これらの全ての後に紙への転写が行われる）は、いわゆるシングルパス・マシンにおいて感光体の一回の回転数で行われ、一方、マルチパス・アーキテクチャは、各色について別個の転写操作を用いて、単一の帯電、画像形成、現像で各々のカラー分離を形成する。いずれの場合にも、再利用の前に、光導電部材の表面上に残っている残留トナー粒子をきれいに落とさなくてはならない。クリーニング用繊維ブラシの使用は広く知られており、ブラシ繊維が移動して又は回転して、光導電部材の表面とクリーニング接触し、こうした表面から残留トナー粒子を除去して運ぶ。クリーニング装置の所望の効率を維持するために、ブラシ繊維によってそのように除去されたトナー粒子をブラシ繊維から除去する必要がある。
【発明の開示】
【発明が解決しようとする課題】
【０００５】
従来より、フリッカ装置又はフリッカ組立体のフリッカーバー又は接触部は、アルミニウムのような超硬合金、及びＴｅｆｌｏｎ、Ｎｙｌｏｎ、ＡＢＳ、及びポリエチレン（Ｔｅｆｌｏｎは、デラウェア州Ｗｉｌｍｉｎｇｔｏｎ所在のＥ．Ｉ．ｄｕＰｏｎｔ  ｄｅ  Ｎｅｍｏｕｒｓ＆Ｃｏ．，社の商標であり、Ｎｙｌｏｎは、Ｔｈｅ  Ｄｏｗ  Ｃｈｅｍｉａｌ  Ｃｏｍｐａｎｙ社の商標であり、ＡＢＳは、Ｋｏｍｅｔ  Ｓｔａｈｌｈａｌｔｅｒ−ｕｎｄ  Ｗｅｒｋｚｅｕｇｆａｂｒｉｋ  Ｒｏｂｅｒｔ  Ｂｒｅｕｎｉｎｇ  ＧｍｂＨ  ｃｏｍｐａｎｙ社の商標である）などの硬質プラスチック材料から作製された。しかしながら、電子写真式複製機におけるトナー粒子のような熱感応性の粒子と接触し、これをフリックするための硬い接触部を有するこうした従来のフリッカ装置の使用が、他の問題を引き起こすことが見出された。例えば、高感度の感光体画像形成部材、静電画像形成装置、画像を形成するための熱感応性トナー粒子、及びクリーニング繊維ブラシ及び従来のフリッカーバーを含む画像形成部材クリーニング装置を用いる電子写真式複製機においては、これと接触しているクリーニング繊維を動かすことで衝突する際に、従来のフリッカーバー上に必然的に蓄積される硬いトナー・クラストの塊が除去されるか又は取り除かれる傾向がある。次に、除去されたクラストの塊は、高感度の感光体画像形成部材とニップを形成する任意の装置との間の任意のニップ内に望ましくなく巻き込まれるか又は捕捉され、高感度の感光体画像形成部材に擦り傷をつけたり、これらを早期に損傷させる傾向がある。
【課題を解決するための手段】
【０００６】
本発明によると、フリッカーバー組立体に衝突するクリーニング繊維のために、フリッカー組立体上に蓄積されたクラストが不都合に除去されるのを防止するため、繊維の通路に沿って移動するクリーニング繊維と接触し、これをフリックするように、機械内に取り付けるための柔らかい接触部のフリッカーバー組立体が提供される。柔らかい接触部のフリッカーバー組立体は、
（ａ）機械のフレーム部分に取り付けるための基部と、
（ｂ）基部に結合された、第１の遠位端及び反対側の第２の遠位端を含む本体部と、
（ｃ）繊維通路に沿って移動する組立体繊維と接触し、これに当たるように、第１の遠位端に結合された先端部とを含む。この先端部は、こうした先端部と移動するクリーニング繊維との間の衝撃力の厄介な影響を軽減するために、８５未満のショアＡデュロメータ硬度を有する材料で作製され、これにより、フリッカーバー組立体のいずれかの部品から蓄積された粒子のクラストが不都合に除去されることが防止される。
【０００７】
本開示の上記の及び他の特徴は、明細書、特許請求の範囲をさらに読むことにより、かつ、添付の図面を参照することにより、明らかになり、容易に理解されるであろう。
【発明を実施するための最良の形態】
【０００８】
本発明は、その好ましい実施形態に関連して以下に説明されるが、本開示をその実施形態に制限することは意図されていないことを理解すべきである。反対に、添付の特許請求の範囲によって定義されるような本発明の精神及び範囲内に含まれ得る、全ての選択肢、修正、及び均等物を網羅することが意図されている。
【０００９】
最初に図１を参照すると、図１は、ベルト支持モジュール９０上に取り付けられた光導電ベルト１０を全体に用いる電子写真式複製機８を概略的に示す。光導電ベルト１０は、光導電材料が導電性接地層上に被覆され、その導電性接地層はカール防止バッキング層上に被覆されたもので形成されることが好ましい。ベルト１０は、矢印１３の方向に移動し、その移動通路の付近に配置された種々の処理ステーションを通って連続する部分を順次に前進する。ベルト１０は、剥離ロール１４、駆動ロール１６、アイドラロール２１、及びバッカーロール２３の周りに閉ループ１１として掛け渡される。
【００１０】
最初に、光導電ベルトの表面の一部が、帯電ステーションＡＡを通過する。帯電ステーションＡＡにおいて、全体が参照番号２２で示されるコロナ生成装置が、光導電ベルト１０を、相当高く実質的に一様な電位に帯電する。
同じく図示されるように、複製機８は、コントローラすなわち電子制御サブシステム（ＥＳＳ）２９を含んでおり、この電子制御サブシステム（ＥＳＳ）２９は、中央演算処理装置（ＣＰＵ）と、電子記憶装置と、ディスプレイ又はユーザ・インターフェース（ＵＩ）とを有する、独立型の専用ミニコンピュータであることが好ましい。ＥＳＳ２９は、センサ及びその接続により、画像データ及び機械の状態情報を読み取り、取り込み、準備し、処理することができる。
【００１１】
さらに図１を参照すると、露光ステーションＢＢにおいて、コントローラすなわち電子サブシステム（ＥＳＳ）２９は、所望の出力イメージを表すＲＩＳ２８から画像信号を受け取り、これらの信号を処理して、それらを画像の連続トーン又はグレースケールの可視化に変換し、これが、例えば、全体が参照番号３０で示されるラスタ出力スキャナ（ＲＯＳ）のような変調出力生成装置に伝送される。ＥＳＳ２９に伝送される画像信号は、前述のようにＲＩＳ２８から、又はコンピュータから発生することができ、これにより、電子写真式複製機８が、１つ又はそれ以上のコンピュータのための遠隔に配置されたプリンタとして働くことを可能にする。或いは、プリンタは、高速コンピュータのための専用プリンタとして働くことができる。複製機によって複製されることが望ましい連続トーン像に対応するＥＳＳ２９からの信号が、ＲＯＳ３０に伝送される。
【００１２】
ＲＯＳ３０は、回転ポリゴンミラーブロックを有するレーザを含む。９面ポリゴンが用いられることが好ましい。露光ステーションＢＢにおいて、ＲＯＳ３０は、１インチ当たり約３００ピクセル又はそれ以上の解像度で光導電ベルト１０の表面上の帯電部分に照射する。ＲＯＳは、光導電ベルト１０を露光して、光導電ベルトの上に、ＥＳＳ２９から受け取った連続トーン像に対応する静電潜像を記録する。別の方法として、ＲＯＳ３０は、ラスタ毎に光導電ベルト１０の帯電部分に照射するように配置された発光ダイオード（ＬＥＤ）の直線アレイを用いることができる。
静電潜像が光導電面１２上に記録された後に、ベルト１０が、乾燥粒子の形態のＣＭＹＫカラートナーを含む、示されるような４つの現像剤ユニットを含む現像ステーションＣＣを通して潜像を前進させる。各々の現像剤ユニットにおいて、トナー粒子は、周知の技術を用いて、潜像に静電的に適切に引き寄せられる。
【００１３】
図１を引き続き参照すると、静電潜像が現像された後に、ベルト１０上に存在するトナーパウダー像が、転写ステーションＤＤに前進する。シート給送装置５０によって、印刷シート４８が、転写ステーションＤＤに前進される。シート給送装置５０は、スタック５４、５５の最上部のシートと接触するための波形の真空フィーダ（ＴＣＶＦ）組立体５２を含むことができる。ＴＣＶＦ５２は、各々の上部シート４８を獲得し、これを垂直搬送部５６に前進させる。垂直搬送部５６は、時間順に感光体ベルト１０から像を受け取るために、前進するシート４８を、供給ロール１２０を通してレジストレーション搬送部５７に、次に像転写ステーションＤＤに導く。転写ステーションＤＤは、一般に、イオンをシート４８の裏側にスプレーするコロナ発生装置５８を含む。これは、トナーパウダー像を光導電面１２からシート４８に引き寄せるのを助ける。転写後に、シート４８は、矢印６０の方向に移動し続け、そこで、定着器前搬送部組立体によってピックアップされ、定着ステーションＦＦに送られる。
【００１４】
定着ステーションＦＦは、転写されたトナーパウダー像をコピーシートに恒久的に付着させる、全体が参照番号７０で示される定着器組立体を含む。好ましくは、定着器組立体７０は、加熱された定着器ローラ７２と圧力ローラ７４とを含み、コピーシート上のパウダー像が定着器ローラ７２と接触する。圧力ローラは、定着器ローラと接触して押し付けられ、トナーパウダー像をコピーシートに定着させるのに必要な圧力を与える。定着器ロールは、石英ランプ（図示せず）によって内部的に加熱される。リザーバ（図示せず）に貯蔵された剥離剤が、計量ロール（図示せず）にポンプで送られる。トリムブレード（図示せず）が、余剰の剥離剤をトリミングする。剥離剤は、ドナーロール（図示せず）に移送され、次に定着器ロール７２に移送される。
【００１５】
次いで、シートは定着器７０を通過し、そこで、像がシートに恒久的に定着され又は融着される。定着器７０を通過した後に、ゲート８８は、シートを、出力１７を経由して仕上げ装置又はスタッカに直接移動できるようにするか、又はシートを両面印刷通路１００にそらせる。具体的には、両面印刷通路１００に向けられるとき、シートは、最初にゲート１３４を通して単一シート反転器８２に送られる。つまり、第２シートが、片面シートであるか、又は第１面と第２面の両方の上に像が形成された完成した両面シートである場合には、シートは、ゲート８８を経由して直接出力１７に運ばれることになる。しかしながら、シートが両面印刷され、次いで、第１面にのみ像が印刷される場合には、ゲート８８は、シートを反転器８２に及び両面印刷ループ通路１００にそらすように配置され、そこで、シートが反転され、次いで加速ニップ１０２及びベルト搬送部１１０に送られて、転写ステーションＤＤを通って再循環して戻され、そして、出口パス１７を経由して出る前に定着器７０に送られて、第２面の像がその両面シートの裏側に受け取られ、恒久的に定着される。
【００１６】
印刷シートがベルト１０の光導電面１２から分離された後に、本開示に従ったクリーニング・ステーションＥＥにおいて、依然として光導電面１２上にあり、かつ、光導電面１２に付着することがある残留トナー／現像剤及び紙繊維粒子が、そこから除去される。示されるようなクリーニング・ステーションＥＥは、光導電面１２から残留粒子を除去し、取り去るためのクリーニング装置３００を含む。
【００１７】
次に図１〜図５を参照すると、クリーニング装置３００は、回転可能なクリーニング繊維ブラシ３０４のクリーニング繊維３０３を動かすことによって接触の衝撃を和らげるための柔らかい接触部のフリッカーバー組立体４００を含む。示されるように、クリーニング装置３００は、特に、（ａ）第１の開口部３０７及び第２の開口部３０９を有するハウジング３０５と、（ｂ）ハウジング内に取り付けられ、表面１２と接触して、そこから残留粒子を摩擦により及び／又は静電的に除去するためのクリーニング繊維３０３を有する回転可能なクリーニング繊維ブラシ３０４と、（ｃ）こうした第２のフリッカーバーである、少なくとも１つの柔らかい接触部のフリッカーバー組立体４００、４０１とを含む。クリーニング装置３００はまた、気流３１０をハウジング３０５の外に引き出すための空気ブロワ３０６を含むこともできる。１つのブラシ３０４だけが示されるが、周知のような回転可能な一対の繊維ブラシも同様に機能する。同じく示されるように、クリーニング装置３００は、除去前に、必要に応じて、残留粒子を所望の極性に帯電させるためのクリーニング前帯電装置６２をさらに含む。
【００１８】
図３〜図５にさらに示されるように、柔らかい接触部のフリッカーバー組立体４００の長手方向の側面図が図３に示され、１つの実施形態４００の端面図が図４に示され、別の実施形態４０１の端面図が図５に示される。示されるように、柔らかい接触部のフリッカーバー組立体４００、４０１は、機械のフレーム部分に取り付けるための基部４０２と、基部４０２に結合された、第１の遠位端Ｅ１及び反対側の第２端Ｅ２を含む本体部４０４とを含む。柔らかい接触部のフリッカーバー組立体４００、４０１はまた、繊維の通路に沿って移動するクリーニング繊維３０３と接触し当たるための、第１の遠位端Ｅ１に結合された先端部４０６も含む。本開示によると、先端部４０６は、該先端部４０６と移動する繊維の間の衝撃力の厄介な影響を低減させるために、８５未満のショアＡデュロメータ硬度を有する適切な材料で作製され、これにより、フリッカーバー組立体のいずれかの部品から蓄積された粒子のクラストが不都合に除去されることが防止される。
【００１９】
基部４０２は、アルミニウムのような金属材料で作製することができる。中間部すなわち本体部は、先端部に用いられるものと同じ材料を含む、機能的に許容できるいずれの材料で作製してもよい。そのような先端部４０６は、非金属の材料で作製される。トナー画像複製機のためのクリーニング装置においては、勿論、こうした材料を選択し、これがトナー粒子と相互に作用しないようにすべきである。上記に指摘されるように、こうした材料は、従来より硬いものであり、よって、９５より大きいショアＡデュロメータ硬度を有する、場合によっては、例えば７２のショアＤを有する各々が、Ｎｙｌｏｎ、Ｔｅｆｌｏｎ、ＡＢＳ、及びポリエチレンを含んでいた。相対的により柔らかいもの（すなわち、９５未満のショアＡデュロメータ硬度を有するもの）を作製することができる範囲で、その形態のこれらの材料は、非常に好適なものである。
【００２０】
本開示によると、先端部のために好ましい材料は、ポリウレタンである。したがって、ポリウレタン材料は、９５未満のショアＡデュロメータ硬度を、好ましくは５０〜８５の範囲内の硬度を、より具体的には６７〜７７の範囲内の硬度を、一例として７２のショアＡデュロメータ硬度を有する。フリッカーバー組立体４００、４０１の本体部４０４、及び先端部すなわち柔らかい接触部４０６は、成形によって一体形成することができる。フリッカーバー組立体４００、４０１の柔らかいウレタン材料（５０〜８５のショアＡ硬度）の接触部は、これが従来のフリッカーバーと比べて相対的により柔軟であるので、繊維の衝撃を和らげるように働き、これにより、ブラシ繊維の衝撃エネルギーが低減されると考えられる。
【００２１】
有利なことに、この衝撃エネルギーの低減は、フリッカーバー組立体の部品及び／又は繊維上に時間とともに必然的に蓄積するトナーのクラストが、ぶつかり合い除去されることを防止する。周知のように、望ましくないことに、このような除去されたクラストは、機械の部品、特に感光体に擦り傷をつけ、これらを早期に損傷させる。衝撃エネルギーの低減はまた、フリッカーバーの磨耗寿命を延ばすと考えられる。さらに、比較的低い衝撃エネルギーはまた、衝撃を受けた表面上に生成される熱も低減させ、これにより、例えば、フリッカーバーの表面上のトナー粒子の蓄積に起因する熱が低減される。このように、本開示の柔らかい接触部のフリッカーバー組立体は、パウダートナーのような熱感応性材料を処理し、かつ、内部のいずれかの材料処理面をクリーニングするのにブラシクリーナ装置を用いるいずれの機械においても、適切な用途を見出すであろう。
【００２２】
したがって、フリッカーバー組立体に衝突するクリーニング繊維のために、フリッカー組立体上の蓄積されたクラストが不都合に除去されることが防止されるように、繊維通路に沿って移動するクリーニング繊維と接触し、これをフリックするように、機械内に取り付けるための柔らかい接触部のフリッカーバー組立体が提供される。この柔らかい接触部のフリッカーバー組立体は、（ａ）機械のフレーム部分に取り付けるための基部と、（ｂ）基部に結合された、第１の遠位端及び反対側の第２の遠位端を含む本体部と、（ｃ）繊維通路に沿って移動するクリーニング繊維と接触し、これに当たるように、第１の遠位端に結合された先端部とを含む。先端部は、このような先端部と移動するクリーニング繊維の間の衝撃力の厄介な影響を低減させるために、８５未満のショアＡデュロメータ硬度を有する材料で作製され、これにより、フリッカーバー組立体のいずれかの部品から蓄積された粒子のクラストが不都合に除去されることが防止される。
【００２３】
上で開示された種々のもの及び他の特徴及び機能、又はそれらの代替技術は、多数の他の異なるシステム又は用途と望ましく組み合わせ得ることが理解されるであろう。さらに、当業者であれば、後で、現在は予想又は予測されていない代替技術、修正、変形態様、又は改良を本明細書に行うことができ、これらはさらに、上記の特許請求の範囲に包含されることも意図される。特許請求の範囲に特に記載されていない限り、特許請求の範囲のステップ又は構成要素は、いずれの特定の順序、数、位置、サイズ、形状、角度、色、又は材料に関して、明細書又は如何なる他の請求項に記載の意味に解すべきではなく、又はそのような意味を含むべきでもない。
【図面の簡単な説明】
【００２４】
【図１】本開示の柔らかい接触部のフリッカーバー組立体を含む、例示的な電子写真式複製機の概略的な外観図である。
【図２】本開示の柔らかい接触部のフリッカーバー組立体を含む、単一のブラシ・トナー粒子クリーニング装置機械の拡大された概略である。
【図３】本開示の柔らかい接触部のフリッカーバー組立体の、長手方向側面図の拡大された概略である。
【図４】本開示の柔らかい接触部のフリッカーバー組立体の一実施形態の端面図の拡大された概略である。
【図５】本開示の柔らかい接触部のフリッカーバー組立体の、別の実施形態の端面図の拡大された概略である。
【符号の説明】
【００２５】
８：電子写真式複製機
１０：ベルト
１２：光導電表面
４８：シート
５０：シート給送装置
５２：真空フィーダアセンブリ
５８：コロナ発生装置
７０：定着器組立体
３００：クリーニング装置
３０３：クリーニング繊維
３０４：クリーニング繊維ブラシ
３０５：ハウジング
３０７、３０９：開口部
４００、４０１：フリッカーバー組立体
４０２：基部
４０４：本体部
４０６：先端部
【図１】
2008116946.tif 000003
【図２】
2008116946.tif 000004
【図３】
2008116946.tif 000005
【図４】
2008116946.tif 000006
【図５】
2008116946.tif 000007